(57)【要約】【課題】  Ｌ字状フレーム構造の椅子において、小さなサイズに折畳むことができる折畳み椅子を提供する。【解決手段】  折畳み椅子は、上下方向に延びる縦フレーム部材１０と、縦フレーム部材１０の中間位置に支持された座板５０と、その前方端部分が縦フレーム部材１０の下端部に回動可能に連結されたベースフレーム部材３０とを備える。ベースフレーム部材３０は、上下方向に延びる縦フレーム部材１０に対して所定の角度を持って床面上に延在する開状態位置と、縦フレーム部材１０の前方の位置で縦フレーム部材１０に沿うように延在する折畳み状態位置とを選択的に取ることができるようにされている。【選択図】      図１
2006141820.tif 000002
【特許請求の範囲】
【請求項１】
上下方向に延びる縦フレーム部材と、
前記縦フレーム部材の中間位置に支持された座板と、
その前方端部分が前記縦フレーム部材の下端部に回動可能に連結されたベースフレーム部材とを備え、
前記ベースフレーム部材は、上下方向に延びる前記縦フレーム部材に対して所定の角度を持って床面上に延在する開状態位置と、前記縦フレーム部材の前方の位置で縦フレーム部材に沿うように延在する折畳み状態位置とを選択的に取ることができるようにされている、折畳み椅子。
【請求項２】
前記座板よりも上方の位置で前記縦フレーム部材に回動可能に連結された手摺部材をさらに備え、
前記手摺部材は、前後方向に延在する開状態位置と、前記縦フレーム部材の後方の位置で前記縦フレーム部材に沿うように延在する折畳み状態位置とを選択的に取ることができるようにされている、請求項１に記載の折畳み椅子。
【請求項３】
前記ベースフレーム部材を開状態位置および折畳み状態位置で固定するためのベースフレーム固定手段をさらに備える、請求項１または２に記載の折畳み椅子。
【請求項４】
前記手摺部材を開状態位置および折畳み状態位置で固定するための手摺固定手段をさらに備える、請求項１〜３のいずれかに記載の折畳み椅子。
【請求項５】
開状態にある前記ベースフレーム部材と前記縦フレーム部材との間には、圧縮方向荷重が生じている、請求項１〜４のいずれかに記載の折畳み椅子。
【請求項６】
開状態にある前記ベースフレーム部材と前記縦フレーム部材との間に位置し、両者の間に生じる圧縮方向荷重を支える荷重支え部材をさらに備える、請求項５に記載の折畳み椅子。
【請求項７】
前記荷重支え部材は、前記縦フレーム部材の下方部分に固定されている、請求項６に記載の折畳み椅子。
【請求項８】
前記縦フレーム部材は、幅方向の両側に位置する一対の縦側板を含み、
前記ベースフレーム部材は、幅方向の両側で前記一対の縦側板の外面側に位置する一対のベース側板を含み、
前記荷重支え部材は、前記各ベース側板と同平面に位置するように、前記各縦側板の外面上に固定されている、請求項７に記載の折畳み椅子。
【発明の詳細な説明】
【技術分野】
【０００１】
この発明は、折畳み椅子に関するものであり、特に折畳みサイズを小さくした子供用椅子に関するものである。
【背景技術】
【０００２】
幼児用のテーブル付き多機能椅子が、実用新案登録第３０９０９７０号公報（特許文献１）に開示されている。この公報に開示された椅子は、上下方向に延びる左右一組の板状脚と、前方端が上記板状脚に固定されて後方に延びる脚台部と、板状脚の上方部分に回動可能に連結されたテーブルとを備える。側面から見たとき、板状脚と脚台部とでＬ字状の形態を形作る。通常の使用時にはテーブルは板状脚から前方に延在するが、必要に応じて後ろ向きに回動させ得るようになっている。
【特許文献１】実用新案登録第３０９０９７０号公報
【発明の開示】
【発明が解決しようとする課題】
【０００３】
実用新案登録第３０９０９７０号公報に開示されたＬ字状フレーム構造の椅子では、板状脚と脚台部とが固定されているので、小さく折畳むことができない。保管および運搬時のスペースを考慮すると、椅子を小さなサイズに折畳むことができるようにするのが望ましい。
【０００４】
この発明の目的は、Ｌ字状フレーム構造の椅子において、小さなサイズに折畳むことができる折畳み椅子を提供することである。
【課題を解決するための手段】
【０００５】
この発明に従った折畳み椅子は、上下方向に延びる縦フレーム部材と、縦フレーム部材の中間位置に支持された座板と、その前方端部分が縦フレーム部材の下端部に回動可能に連結されたベースフレーム部材とを備える。ベースフレーム部材は、上下方向に延びる縦フレーム部材に対して所定の角度を持って床面上に延在する開状態位置と、縦フレーム部材の前方の位置で縦フレーム部材に沿うように延在する折畳み状態位置とを選択的に取ることができるようにされている。
【０００６】
上記構成の本発明によれば、ベースフレーム部材を縦フレーム部材の前方の位置で縦フレーム部材に沿うように折畳むことができるので、椅子の折畳みサイズを小さくすることができる。
【０００７】
好ましい実施形態に係る折畳み椅子は、座板よりも上方の位置で縦フレーム部材に回動可能に連結された手摺部材をさらに備える。手摺部材は、前後方向に延在する開状態位置と、縦フレーム部材の後方の位置で縦フレーム部材に沿うように延在する折畳み状態位置とを選択的に取ることができるようにされている。この実施形態によれば、ベースフレーム部材に加えて、手摺部材も縦フレーム部材に沿うように折畳むことができるので、折畳みサイズを小さくすることができる。折畳み椅子が子供用椅子の場合、手摺部材として例えばテーブルが使用される。
【０００８】
好ましくは、折畳み椅子は、ベースフレーム部材を開状態位置および折畳み状態位置で固定するためのベースフレーム固定手段をさらに備える。さらに好ましくは、折畳み椅子は、手摺部材を開状態位置および折畳み状態位置で固定するための手摺固定手段を備える。
【０００９】
好ましくは、開状態にあるベースフレーム部材と縦フレーム部材との間には、圧縮方向荷重が生じるようにされる。一つの実施形態では、折畳み椅子は、開状態にあるベースフレーム部材と縦フレーム部材との間に位置し、両者の間に生じる圧縮方向荷重を支える荷重支え部材をさらに備える。荷重支え部材は、圧縮方向荷重を支えるものであるので、部材そのものの剛性で荷重を支えることになり、荷重支持構造が強固になる。
【００１０】
一つの実施形態では、荷重支え部材は、縦フレーム部材の下方部分に固定されている。より具体的に説明すると、縦フレーム部材は、幅方向の両側に位置する一対の縦側板を含み、ベースフレーム部材は、幅方向の両側で一対の縦側板の外面側に位置する一対のベース側板を含む。荷重支え部材は、各ベース側板と同平面に位置するように、各縦側板の外面上に固定されている。
【発明の効果】
【００１１】
以上のように、この発明によれば、小さなサイズに折畳むことができるＬ字状フレーム構造の椅子を得ることができる。
【発明を実施するための最良の形態】
【００１２】
図１〜図６は、この発明の一実施形態に係る子供用折畳み椅子を示している。図１は一方の側面から見た図を示しているが、反対側の側面から見ても実質的に同じ図となる。
【００１３】
子供用折畳み椅子は、上下方向に延びる縦フレーム部材１０と、縦フレーム部材１０の中間位置に支持された座板５０と、座板５０よりも下方の位置で縦フレーム部材１０に支持された足板６０と、座板５０よりも上方の位置で縦フレーム部材１０に支持されたテーブルの形態の手摺部材４０と、その前方端部分が縦フレーム部材１０の下端部に回動可能に連結されたベースフレーム部材３０とを備える。子供用椅子を側面から見たとき、縦フレーム部材１０とベースフレーム部材３０とでＬ字状フレーム構造を形作る。
【００１４】
図示した実施形態では、縦フレーム部材１０は、幅方向の両側に位置する一対の縦側板１１を含む。また、ベースフレーム部材３０は、幅方向の両側で一対の縦側板１１の外面側に位置する一対のベース側板３１を含む。一対の縦側板１１の間隔は、上方部分において幅方向に延びる幅方向連結部材１２、座板５０および足板６０によって適正に保たれる。一対の縦側板１１の間隔の固定は、両者を連結する幅寸法規制ねじ部材２１によって行っている。
【００１５】
図５は、一対の縦側板１１と座板５０との連結部分を前方側から見た断面図である。図示するように、一対の縦側板１１の内側側面には、前後方向に延びる溝２３が上下に多数設けられている。座板５０の幅方向の両端は、溝２３内に嵌る。図示していないが、足板６０の幅方向の両端も、溝２３内に嵌る。
【００１６】
幅寸法規制ねじ部材２１による固定を緩めると、一対の縦側板１１間の間隔を広げることができるので、座板５０および足板６０を縦側板１１から取り外すことが可能になる。溝２３が上下に多数設けられているので、子供の成長に応じて、座板５０および足板６０の高さを適宜変更することができる。
【００１７】
テーブルの形態となっている手摺部材４０は、その後端部が回動軸４２を介して一対の縦側板１１に回動可能に連結されている。この手摺部材４０は、図１に示すように前後方向に延在する開状態位置と、図４に示すように縦側板１１の後方の位置で縦側板１１に沿うように延在する折畳み状態位置とを選択的に取ることができるようにされている。図示する子供用椅子は、手摺部材４０を開状態位置および折畳み状態位置で固定するための手摺固定手段を備える。
【００１８】
図２は、縦側板１１を単独で示す図である。図６は、開状態位置にある手摺部材４０と縦側板１１とをロックしている上部ロック部材４１に関連する部分の構造を示す断面図である。図１、図２および図６を参照して、手摺固定手段の詳細を説明する。図２に示すように、各縦側板１１の外側側面には、回動軸４２を受入れる上部回動中心穴１８から等距離の位置に上部第１ロック穴１３および上部第２ロック穴１４が設けられている。上部第１ロック穴１３は回動中心穴１８の前方に位置し、上部第２ロック穴１４は回動中心穴１８の下方に位置している。
【００１９】
図６に示すように、手摺部材４０には上部ロック部材４１が取付けられている。上部ロック部材４１は、手摺部材４０の外側側面に露出する頭部つまみ部４１ａと、手摺部材４０を貫通して手摺部材４０の内側側面にまで突出する軸部４１ｂとを有する。上部ロック部材４０の軸部４１ｂにはばね受け部材４３が固定されている。また、手摺部材４０内には、上部ロック部材４１の軸部４１ｂを取り囲むように圧縮ばね４４が配置されている。圧縮ばね４４はばね受け部材４３を押圧し、それにより上部ロック部材４１をロック位置にもたらすようにしている。
【００２０】
手摺部材４０の開状態位置は、上部ロック部材４１の軸部４１ｂが縦側板１１の上部第１ロック穴１３に係合することによってロックされる。このロック状態は、圧縮ばね４４の付勢力に逆らって上部ロック部材４１の頭部つまみ部４１ａを引き出すことによって解除される。図４に示す手摺部材４０の折畳み状態位置は、上部ロック部材４１の軸部４１ｂが縦側板１１の上部第２ロック穴１４に係合することによってロックされる。
【００２１】
図６に示すように、手摺部材４０の開状態位置をより強固に安定させるために、縦側板１１の外側側面に例えばねじの形態の突起部１５が設けられる。突起部１５は、開状態位置にある手摺部材４０の下面に下から当接する。
【００２２】
図１および図２に示すように、ベースフレーム部材３０の各ベース側板３１は、その前方端部分が回動軸３２を介して各縦側板１１に回動可能に連結されている。このベースフレーム部材３０は、図１に示すように床面上に延在する開状態位置と、図４に示すように縦フレーム部材１０の前方位置で縦フレーム部材１０に沿うように延在する折畳み状態位置とを選択的に取ることができるようにされている。図示する子供用椅子は、ベースフレーム部材３０を開状態位置および折畳み状態位置で固定するためのベースフレーム固定手段を備える。図示した実施形態では、ベースフレーム固定手段は、図６に示した上部ロック部材４１と実質的に同じ構造の下部ロック部材３３を備える。
【００２３】
図２に示すように、縦フレーム部材１０の各縦側板１１には、回動軸３２を受入れる下部回動中心穴１９から等距離の位置に下部第１ロック穴１６および下部第２ロック穴１７が設けられている。下部第１ロック穴１６は回動中心穴１９の後方に位置し、下部第２ロック穴１７は回動中心穴１９の上方に位置している。
【００２４】
ベースフレーム部材３０の開状態位置は、下部ロック部材３３が縦側板１１の下部第１ロック穴１６に係合することによってロックされる。また、ベースフレーム部材３０の折畳み状態位置は、下部ロック部材３３が縦側板１１の下部第２ロック穴１７に係合することによってロックされる。
【００２５】
一対のベース側板３１間には幅方向連結部材２２が渡されているが、この幅方向連結部材２２の位置は、ベースフレーム部材３０が折畳み状態位置にあるときに足板６０や座板５０に干渉しないように選ばれる。
【００２６】
図示した実施形態では、開状態にあるベースフレーム部材３０と縦フレーム部材１０との間に、圧縮方向荷重が生じるようにされている。具体的には、椅子は、開状態にあるベースフレーム部材３０と縦フレーム部材１０との間に位置し、両者の間に生じる圧縮方向荷重を支える荷重支え部材２０を備える。この荷重支え部材２０は、各縦側板１１の下方部分に固定されている。各荷重支え部材２０と、各ベース側板３１とは同平面に位置する。
【００２７】
上記のように、縦フレーム部材１０とベースフレーム部材３０との間に圧縮方向荷重を生じさせるような構成にすれば、部材そのものの剛性で荷重を支えることになるので、荷重支持構造が強固になる。
【００２８】
図１は使用状態の椅子の形態を示し、図３は折畳み途中の形態を示し、図４は折畳み状態の形態を示している。椅子の折畳み状態においては、ベースフレーム部材３０が縦フレーム部材１０の前方位置で縦フレーム部材１０に沿うように延在し、かつ手摺部材４０が縦フレーム部材１０の後方位置で縦フレーム部材１０に沿うように延在しているので、折畳み状態の嵩張りが小さくなる。小さく折畳んだ椅子を自立可能にするために、ベースフレーム部材や縦フレーム部材の形状を工夫してもよい。
【００２９】
図１〜図６に示した実施形態はテーブルを備えた子供用椅子であるが、この発明は、テーブルまたは手摺を備えない大人用椅子にも適用可能である。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３１】
この発明は、折畳みサイズを小さくすることのできる椅子として、有利に利用され得る。
【図面の簡単な説明】
【００３２】
【図１】この発明の一実施形態に係る折畳み椅子を示す側面図である。
【図２】縦フレーム部材の縦側板を示す側面図である。
【図３】椅子の折畳み途中の状態を示す側面図である。
【図４】椅子の折畳み状態を示す側面図である。
【図５】一対の縦側板と座板との連結部部分を前方側から見た断面図である。
【図６】上部ロック部材に関連する部分の構造を示す断面図である。
【符号の説明】
【００３３】
１０  縦フレーム部材、１１  縦側板、１２  幅方向連結部材、１３  上部第１ロック穴、１４  上部第２ロック穴、１５  突起部、１６  下部第１ロック穴、１７  下部第２ロック穴、１８  上部回動中心穴、１９  下部回動中心穴、２０  荷重支え部材、２１  幅寸法規制ねじ部材、２２  幅方向連結部材、２３  溝、３０  ベースフレーム部材、３１  ベース側板、３２  回動軸、３３  下部ロック部材、４０  手摺部材、４１  上部ロック部材、４１ａ  頭部つまみ部、４１ｂ  軸部、４２  回動軸、４３  ばね受け部材、４４  ばね、５０  座板、６０  足板。
【図１】
2006141820.tif 000003
【図２】
2006141820.tif 000004
【図３】
2006141820.tif 000005
【図４】
2006141820.tif 000006
【図５】
2006141820.tif 000007
【図６】
2006141820.tif 000008